(57)【要約】      （修正有）【課題】コモンバスラインの低抵抗化を図ることによりコモン電極に対するコモン電圧の供給効率を高めることができる表示装置を提供する。【解決手段】表示装置は、第１方向に延在する複数のゲート線と、第２方向に延在する複数のデータ線２１と、複数の画素電極と、コモン電極と、コモン電極に電気的に接続された複数のコモン配線と、表示領域外において第１方向に延在し、複数のコモン配線に電気的に接続されたコモンバスライン４３ａと、を含み、各コモン配線は、表示領域外において第１方向に延在する第１コモン配線部４４ａと、第１コモン配線部４４ａに接続され第２方向に延在する第２コモン配線部４４ｂとにより構成され、第１コモン配線部４４ａの第１方向の幅Ｗ１は第２コモン配線部４４ｂの第１方向の幅よりも大きく、第１コモン配線部４４ａは第１方向の両端部においてコモンバスライン４３ａに電気的に接続されている。【選択図】図３
2017090683.tif 000002
【特許請求の範囲】
【請求項１】
第１方向に延在する複数のゲート線と、
第２方向に延在する複数のデータ線と、
第１方向及び第２方向に配列された複数の画素領域のそれぞれに対応して配置された複数の画素電極と、
前記複数の画素電極に対向配置されたコモン電極と、
前記コモン電極に電気的に接続され、前記コモン電極にコモン電圧を供給する複数のコモン配線と、
表示領域外において第１方向に延在し、前記複数のコモン配線に電気的に接続されたコモンバスラインと、
を含み、
前記各コモン配線は、表示領域外において第１方向に延在する第１コモン配線部と、前記第１コモン配線部に接続され、第２方向に延在する第２コモン配線部と、により構成されており、
前記第１コモン配線部の第１方向の幅は、前記第２コモン配線部の第１方向の幅よりも大きく、
前記第１コモン配線部の第１方向の両端部は、前記コモンバスラインに電気的に接続されている、
ことを特徴とする表示装置。
【請求項２】
前記各コモン配線は、隣り合う２本の前記データ線の間に配置されるとともに、前記複数のデータ線と同一層に形成されている、
ことを特徴とする請求項１に記載の表示装置。
【請求項３】
前記第１コモン配線部は、平面的に見て前記コモンバスラインに重なっている、
ことを特徴とする請求項１に記載の表示装置。
【請求項４】
前記第１コモン配線部は、前記コモンバスラインを覆う第１絶縁膜上に形成されており、前記第１絶縁膜に形成されたコンタクトホールを介して、前記コモンバスラインに電気的に接続されている、
ことを特徴とする請求項３に記載の表示装置。
【請求項５】
表示領域外において第１方向に延在するとともに、平面的に見て前記コモンバスラインに重なる接続配線をさらに含み、
前記第１コモン配線部は、平面的に見て前記コモンバスラインに重なっており、
前記第１コモン配線部は、前記コモンバスラインを覆う第１絶縁膜上に形成されており、前記接続配線は、前記第１コモン配線部を覆う第２絶縁膜上に形成されており、
前記接続配線は、隣り合う前記データ線と前記第１コモン配線部との間に位置する前記第１絶縁膜及び前記第２絶縁膜に形成された第１コンタクトホールを介して前記コモンバスラインに電気的に接続されるとともに、前記第１コモン配線部の両端部の上方に位置する前記第２絶縁膜に形成された第２コンタクトホールを介して前記第１コモン配線部に電気的に接続されており、
前記第１コモン配線部と前記コモンバスラインとは、前記接続配線を介して互いに電気的に接続されている、
ことを特徴とする請求項１に記載の表示装置。
【請求項６】
前記コモンバスラインは、前記複数のゲート線と同一層に形成されている、
ことを特徴とする請求項１に記載の表示装置。
【請求項７】
前記第１コモン配線部の第１方向の幅は、前記画素領域の第１方向の幅よりも大きい、
ことを特徴とする請求項１に記載の表示装置。
【請求項８】
前記第１コモン配線部の第１方向の幅は、前記コモン電圧の給電部から前記第１コモン配線部までの距離が長い程、大きい、
ことを特徴とする請求項１に記載の表示装置。
【請求項９】
１つの前記画素領域は、隣り合う２本の前記ゲート線と、隣り合う１本の前記データ線及び１本の前記コモン配線とで囲まれた領域である、
ことを特徴とする請求項１に記載の表示装置。
【請求項１０】
第１方向に隣り合う２つの画素領域の間に、前記データ線又は前記コモン配線が配置されるとともに、前記複数のデータ線と前記複数のコモン配線とは、第１方向に交互に配置されており、
第２方向に隣り合う２つの画素領域の間に、２本の前記ゲート線が配置されている、
ことを特徴とする請求項１に記載の表示装置。
【発明の詳細な説明】
【技術分野】
【０００１】
本発明は、表示装置に関する。
【背景技術】
【０００２】
各種表示装置のうち例えば液晶表示装置は、各画素領域に形成された画素電極とコモン電極（対向電極ともいう。）との間に発生する電界を液晶に印加して液晶を駆動させることにより、画素電極とコモン電極との間の領域を透過する光の量を調整して画像表示を行う。コモン電極には、外部回路からコモンバスラインを介してコモン電圧（Ｖｃｏｍ）が供給される。従来、上記液晶表示装置において、コモン電極にコモン電圧を安定して供給するために、表示領域に複数のコモン配線を設ける構成が提案されている（例えば特許文献１参照）。
【０００３】
特許文献１の液晶表示装置では、表示パネルの一側面側にコモンバスラインが設けられ、コモンバスラインに、ゲート線と同一方向に延在する複数のコモン配線（対向電圧信号線）が接続されている。そして、外部回路からコモンバスラインに供給されたコモン電圧は、コモン配線を介してコモン電極に供給される。
【先行技術文献】
【特許文献】
【０００４】
【特許文献１】特開２００５−１５７４０４号公報
【発明の概要】
【発明が解決しようとする課題】
【０００５】
しかし、従来の液晶表示装置では、コモンバスラインの抵抗の影響により、コモン電極に対するコモン電圧の供給効率が低いという問題がある。コモン電圧の給電効率が低いと、表示品位の低下を招いてしまう。
【０００６】
本発明は、上記実情に鑑みてなされたものであり、その目的は、コモンバスラインの低抵抗化を図ることによりコモン電極に対するコモン電圧の供給効率を高めることができる表示装置を提供することにある。
【課題を解決するための手段】
【０００７】
本発明に係る表示装置は、上記課題を解決するために、第１方向に延在する複数のゲート線と、第２方向に延在する複数のデータ線と、第１方向及び第２方向に配列された複数の画素領域のそれぞれに対応して配置された複数の画素電極と、前記複数の画素電極に対向配置されたコモン電極と、前記コモン電極に電気的に接続され、前記コモン電極にコモン電圧を供給する複数のコモン配線と、表示領域外において第１方向に延在し、前記複数のコモン配線に電気的に接続されたコモンバスラインと、を含み、前記各コモン配線は、表示領域外において第１方向に延在する第１コモン配線部と、前記第１コモン配線部に接続され、第２方向に延在する第２コモン配線部と、により構成されており、前記第１コモン配線部の第１方向の幅は、前記第２コモン配線部の第１方向の幅よりも大きく、前記第１コモン配線部の第１方向の両端部は、前記コモンバスラインに電気的に接続されている、ことを特徴とする。
【０００８】
本発明に係る表示装置では、前記各コモン配線は、隣り合う２本の前記データ線の間に配置されるとともに、前記複数のデータ線と同一層に形成されていてもよい。
【０００９】
本発明に係る表示装置では、前記第１コモン配線部は、平面的に見て前記コモンバスラインに重なっていてもよい。
【００１０】
本発明に係る表示装置では、前記第１コモン配線部は、前記コモンバスラインを覆う第１絶縁膜上に形成されており、前記第１絶縁膜に形成されたコンタクトホールを介して、前記コモンバスラインに電気的に接続されていてもよい。
【００１１】
本発明に係る表示装置では、表示領域外において第１方向に延在するとともに、平面的に見て前記コモンバスラインに重なる接続配線をさらに含み、前記第１コモン配線部は、平面的に見て前記コモンバスラインに重なっており、前記第１コモン配線部は、前記コモンバスラインを覆う第１絶縁膜上に形成されており、前記接続配線は、前記第１コモン配線部を覆う第２絶縁膜上に形成されており、前記接続配線は、隣り合う前記データ線と前記第１コモン配線部との間に位置する前記第１絶縁膜及び前記第２絶縁膜に形成された第１コンタクトホールを介して前記コモンバスラインに電気的に接続されるとともに、前記第１コモン配線部の両端部の上方に位置する前記第２絶縁膜に形成された第２コンタクトホールを介して前記第１コモン配線部に電気的に接続されており、前記第１コモン配線部と前記コモンバスラインとは、前記接続配線を介して互いに電気的に接続されていてもよい。
【００１２】
本発明に係る表示装置では、前記コモンバスラインは、前記複数のゲート線と同一層に形成されていてもよい。
【００１３】
本発明に係る表示装置では、前記第１コモン配線部の第１方向の幅は、前記画素領域の第１方向の幅よりも大きくてもよい。
【００１４】
本発明に係る表示装置では、前記第１コモン配線部の第１方向の幅は、前記コモン電圧の給電部から前記第１コモン配線部までの距離が長い程、大きくてもよい。
【００１５】
本発明に係る表示装置では、１つの前記画素領域は、隣り合う２本の前記ゲート線と、隣り合う１本の前記データ線及び１本の前記コモン配線とで囲まれた領域であってもよい。
【００１６】
本発明に係る表示装置では、第１方向に隣り合う２つの画素領域の間に、前記データ線又は前記コモン配線が配置されるとともに、前記複数のデータ線と前記複数のコモン配線とは、第１方向に交互に配置されており、第２方向に隣り合う２つの画素領域の間に、２本の前記ゲート線が配置されていてもよい。
【発明の効果】
【００１７】
本発明に係る表示装置の構成によれば、コモンバスラインの低抵抗化を図ることができるため、コモン電極に対するコモン電圧の供給効率を高めることができる。
【図面の簡単な説明】
【００１８】
【図１】本発明の実施形態に係る液晶表示装置の概略構成を示す平面図である。
【図２】本発明の実施形態に係る表示パネルにおける表示領域の具体的な構成を示す平面図である。
【図３】図１のａ部を拡大した平面図である。
【図４】図３のＡ−Ａ断面図である。
【図５】本発明の実施形態に係るコモンバスラインにおける等価回路図である。
【図６】本発明の実施形態に係るコモン配線の他の構成を示す平面図である。
【図７】本発明の実施形態に係るコモン配線の他の構成を示す平面図である。
【図８】本発明の実施形態に係るコモン配線の他の構成を示す平面図である。
【図９】本発明の実施形態に係る表示パネルの他の構成を示す平面図である。
【発明を実施するための形態】
【００１９】
本発明の実施形態について、図面を用いて以下に説明する。以下の実施形態では、液晶表示装置を例に挙げるが、本発明に係る表示装置は、液晶表示装置に限定されるものではなく、例えば有機ＥＬ表示装置等であってもよい。
【００２０】
図１は、本実施形態に係る液晶表示装置の概略構成を示す平面図である。液晶表示装置は、表示パネル１０と、複数のソースドライバＩＣ２０と、複数のゲートドライバＩＣ３０と、コモンドライバ４０と、制御回路（図示せず）と、バックライト装置（図示せず）と、を含んで構成されている。ソースドライバＩＣ２０及びゲートドライバＩＣ３０の数は限定されない。表示パネル１０は、表示領域１０ａと、表示領域１０ａの周囲（表示領域外）の額縁領域とを含んでいる。
【００２１】
表示領域１０ａには、行方向（第１方向）に延在する複数のゲート線３１と、列方向（第２方向）に延在する複数のデータ線２１と、列方向に延在する複数のコモン配線４４とが配置されている。データ線２１とコモン配線４４は、行方向に交互に等間隔で配置されている。
【００２２】
額縁領域には、ソースドライバＩＣ２０と、ゲートドライバＩＣ３０と、コモンドライバ４０と、制御回路（図示せず）とが設けられている。これらの回路は、表示パネル上に搭載されていてもよいし、表示パネル外に設けられた回路基板上に搭載されていてもよい。各ソースドライバＩＣ２０には、複数のデータ線２１が電気的に接続されている。各ゲートドライバＩＣには、複数のゲート線３１が電気的に接続されている。
【００２３】
コモンドライバ４０は、コモン電圧Ｖｃｏｍを生成し、生成したコモン電圧Ｖｃｏｍを複数の給電部４１に供給する。給電部４１は、表示パネル１０に設けられた端子で構成されてもよい。各給電部４１には、給電配線４２が接続されており、給電配線４２は、コモンバスライン４３（コモンバスライン４３ａ，４３ｂ）に電気的に接続されている。コモンバスライン４３ａは、額縁領域において、表示領域１０ａの第１辺（図１では上辺）に沿って行方向に延在して配置されており、コモンバスライン４３ｂは、第１辺に対向する第２辺（図１では下辺）に沿って行方向に延在して配置されている。コモンバスライン４３ａとコモンバスライン４３ｂとは、コモンバスライン４３ａ，４３ｂと同一層又は別層に形成され、表示領域１０ａの第３辺（図１では右辺）に沿って配置された中継配線４３ｃを介して互いに電気的に接続されている。コモンバスライン４３は、１本のコモンバスライン４３ａで構成されてもよい。
【００２４】
各コモン配線４４は、一端が第１辺側のコモンバスライン４３ａに電気的に接続されており、他端が第２辺側のコモンバスライン４３ｂに電気的に接続されている。これにより、コモンドライバ４０から出力されたコモン電圧Ｖｃｏｍは、コモンバスライン４３ａ，４３ｂを介して各コモン配線４４に供給される。
【００２５】
図２は、表示領域１０ａの具体的な構成を示す平面図である。表示領域１０ａには、隣り合う２本のゲート線３１と、隣り合う１本のデータ線２１及び１本のコモン配線４４とで囲まれた画素領域１４が、行方向及び列方向にマトリクス状に複数配列されている。行方向に隣り合う２つの画素領域１４の間には、データ線２１又はコモン配線４４が配置されるとともに、データ線２１及びコモン配線４４は、行方向に交互に等間隔で配置されている。列方向に隣り合う２つの画素領域１４の間には、２本のゲート線３１が配置されている。
【００２６】
各画素領域１４には、画素電極１５及びコモン電極１６が形成されている。また、各画素領域１４における、ゲート線３１及びデータ線２１の交差部近傍に、薄膜トランジスタ１３が形成されている。薄膜トランジスタ１３は、ドレイン電極がデータ線２１に電気的に接続されており、ソース電極が画素電極１５に電気的に接続されている。コモン電極１６は、コモン配線４４に電気的に接続されている。コモン電極１６は、画素領域毎に個別に形成されていてもよいし、表示領域１０ａ全体にベタ状に形成されていてもよい。また、コモン電極１６には、各画素領域に対応してスリットが形成されていてもよい。画素領域１４の構成は、上記構成に限定されない。
【００２７】
各画素領域１４では、アクティブマトリクス表示が行われる。具体的には、ゲートドライバＩＣ３０からゲート線３１へゲート電圧を供給し、ソースドライバＩＣ２０からデータ線２１へデータ電圧（階調電圧）を供給する。ゲート電圧による薄膜トランジスタ１３のオン／オフによりデータ電圧を画素電極１５に供給する。画素電極１５に供給されたデータ電圧と、コモンドライバ４０からコモン電極１６に供給されたコモン電圧Ｖｃｏｍとの差により生じる電界で液晶を駆動することにより、各画素領域１４における光の透過率を制御して画像表示を行う。なお、カラー表示を行う場合は、縦ストライプ状のカラーフィルタで形成された赤（Ｒ）色、緑（Ｇ）色、青（Ｂ）色に対応するそれぞれの画素領域１４の画素電極１５に接続されたデータ線２１に所望のデータ電圧を印加することにより実現される。上記液晶表示装置の駆動方法は、周知の方法を適用することができる。
【００２８】
ここで、コモンバスライン４３は、自身の抵抗（配線抵抗）により、コモン電極１６に対するコモン電圧Ｖｃｏｍの供給効率に影響を与える。例えばコモンバスライン４３の抵抗が高い場合、コモン電圧Ｖｃｏｍの供給効率が低下し、表示品位の低下を招く。このような表示品位の低下を防ぐためには、コモンバスライン４３の低抵抗化を図り、コモン電極１６に対するコモン電圧Ｖｃｏｍの供給効率を高めることが望ましい。本実施形態に係る液晶表示装置は、コモンバスライン４３の低抵抗化を実現し得る特徴的構成を備えている。以下では、上記特徴的構成について具体的に説明する。
【００２９】
図３は、図１のａ部を拡大した平面図であり、図４は、図３のＡ−Ａ断面図である。コモンバスライン４３は、ガラス基板１０１上に形成されている。コモンバスライン４３は、ゲート線３１と同一層に形成されている。コモンバスライン４３を覆うように、第１絶縁膜１０２（例えば、ゲート絶縁膜）が形成されている。第１絶縁膜１０２上には、データ線２１及びコモン配線４４が形成されている。データ線２１及びコモン配線４４は、同一層に形成されている。
【００３０】
ここで、コモン配線４４は、額縁領域において行方向に延在する第１コモン配線部４４ａと、第１コモン配線部４４ａに接続され、列方向に延在する第２コモン配線部４４ｂと、により構成されている。また、第１コモン配線部４４ａの行方向の幅は、第２コモン配線部４４ｂの行方向の幅よりも大きく形成されている。例えば、第１コモン配線部４４ａの行方向の幅Ｗ１は、画素領域１４の行方向の幅Ｗ２よりも大きく形成されている。第１コモン配線部４４ａの列方向の幅は、コモンバスライン４３ａの列方向の幅と同一であってもよい。第１コモン配線部４４ａは、平面的に見てコモンバスライン４３ａに重なって配置されている。第２コモン配線部４４ｂは、第１コモン配線部４４ａの略中央部分に接続されている。第１コモン配線部４４ａ及び第２コモン配線部４４ｂは、同一層に形成されている。なお、第１コモン配線部４４ａが第１絶縁膜１０２上に形成され、第２コモン配線部４４ｂが、第１コモン配線部４４ａとは異なる層に形成されてもよい。
【００３１】
図４に示すように、データ線２１及びコモン配線４４を覆うように第２絶縁膜１０３が形成されている。第２絶縁膜１０３上には、ＩＴＯからなる接続配線４５が形成されている。接続配線４５は、額縁領域において行方向に延在するとともに、平面的に見てコモンバスライン４３ａに重なって配置されている。接続配線４５を覆うように第３絶縁膜１０４が形成されている。隣り合うデータ線２１と第１コモン配線部４４ａとの間に位置する第１絶縁膜１０２及び第２絶縁膜１０３には、第１コンタクトホール４５ａが形成され、第１コモン配線部４４ａの両端部の上方に位置する第２絶縁膜１０３には、第２コンタクトホール４５ｂが形成されている。第１コンタクトホール４５ａ及び第２コンタクトホール４５ｂ内には接続配線４５が形成されている。これにより、コモンバスライン４３とコモン配線４４とは、第１コンタクトホール４５ａ及び第２コンタクトホール４５ｂ内に形成された接続配線４５を介して、互いに電気的に接続される。
【００３２】
上記のように、コモン配線４４は、第１コモン配線部４４ａがコモンバスライン４３に並行に配置されるとともに、第１コモン配線部４４ａの両端部がコモンバスライン４３に電気的に接続されている構成を有する。図５は、上記構成を等価回路で示した図である。図５に示すように、コモンバスライン４３に対応する抵抗Ｒ１と、第１コモン配線部４４ａに対応する直列接続された２つの抵抗Ｒ２，Ｒ３とが並列接続の関係になる。このため、コモン配線４４が第１コモン配線部４４ａを有しない従来の構成と比較して、コモンバスライン４３全体の抵抗を低下させることができる。よって、コモン電極１６に対するコモン電圧Ｖｃｏｍの供給効率を高めることができる。
【００３３】
画素領域１４における断面構造は周知の構成を適用することができる。例えば、コモン電極１６は、ガラス基板１０１上に形成されていてもよいし、第３絶縁膜１０４上に形成されていてもよい。またコモン電極１６は、コモン配線４４に直接接続されていてもよいし、絶縁膜に形成されたコンタクトホールを介して電気的に接続されていてもよい。
【００３４】
本発明の表示装置は、上記構成に限定されない。例えば、図６に示すように、コモン配線４４は、平面的に見て、データ線２１に重なるように配置されていてもよい。この場合、行方向に隣り合う２つの画素領域１４の間には、データ線２１及びコモン配線４４が１本ずつ配置され、列方向に隣り合う２つの画素領域１４の間には、１本のゲート線３１が配置される。また、コモン配線４４とデータ線２１との間には絶縁膜が形成される。上記構成では、コモン配線４４は、データ線２１の上方に配置されてもよいし、データ線２１の下方に配置されてもよい。
【００３５】
また、コモン配線４４は、図７に示すように、平面的に見て、データ線２１に近接して配置されていてもよい。この場合、行方向に隣り合う２つの画素領域１４の間には、データ線２１及びコモン配線４４が１本ずつ配置され、列方向に隣り合う２つの画素領域１４の間には、１本のゲート線３１が配置される。
【００３６】
また、複数のコモン配線４４における各第１コモン配線部４４ａの行方向の幅Ｗ１は、同一であってもよいし、図８に示すように異なっていてもよい。例えば、コモン配線４４の第１コモン配線部４４ａの行方向の幅Ｗ１は、コモン電圧の給電部４１（図１参照）から第１コモン配線部４４ａまでの距離が長い程、大きくなるように形成されていてもよい。これにより、コモン電極１６全体の領域において、コモン電圧Ｖｃｏｍの供給効率の均一化を図ることができる。
【００３７】
上述の各構成では、コモンバスライン４３が、額縁領域において、表示領域１０ａの第１辺（図１では上辺）に沿って行方向に延在して配置されており、各コモン配線４４が列方向に延在して配置される構成であるが、本発明の表示装置はこれに限定されない。例えば、図９に示すように、コモンバスライン４３ａが、額縁領域において、表示領域１０ａの左辺に沿って列方向に延在して配置されており、各コモン配線４４が行方向に延在して配置される構成であってもよい。この場合、例えば、行方向に隣り合う２つの画素領域１４の間には、１本のデータ線２１が配置され、第１行と第２行の画素領域１４の間には、２本のゲート線３１が配置され、第２行と第３行の画素領域１４の間には、１本のコモン配線４４が配置される。また、コモン配線４４は、額縁領域において列方向に延在する第１コモン配線部４４ａと、第１コモン配線部４４ａに接続され、行方向に延在する第２コモン配線部４４ｂと、により構成されていればよい。そして、第１コモン配線部４４ａの列方向の幅は、画素領域１４の列方向の幅よりも大きく形成されていてもよい。また上記構成では、例えば、コモンバスライン４３は、データ線２１と同一層に形成され、コモン配線４４は、ゲート線３１と同一層に形成されてもよい。
【００３８】
以上、本発明の実施形態について説明したが、本発明は上記各実施形態に限定されるものではなく、本発明の趣旨を逸脱しない範囲内で上記各実施形態から当業者が適宜変更した形態も本発明の技術的範囲に含まれることは言うまでもない。
【符号の説明】
【００３９】
１０  表示パネル、１０ａ  表示領域、２１  データ線、３１  ゲート線、１３  薄膜トランジスタ、１４  画素領域、１５  画素電極、１６  コモン電極、２０  ソースドライバＩＣ、３０  ゲートドライバＩＣ、４０  コモンドライバ、４１  給電部、４２  給電配線、４３，４３ａ，４３ｂ  コモンバスライン、４３ｃ  中継配線、４４  コモン配線、４４ａ  第１コモン配線部、４４ｂ  第２コモン配線部、４５  接続配線、４５ａ  第１コンタクトホール、４５ｂ  第２コンタクトホール、１０１  ガラス基板、１０２  第１絶縁膜、１０３  第２絶縁膜、１０４  第３絶縁膜。
【図１】
2017090683.tif 000003
【図２】
2017090683.tif 000004
【図３】
2017090683.tif 000005
【図４】
2017090683.tif 000006
【図５】
2017090683.tif 000007
【図６】
2017090683.tif 000008
【図７】
2017090683.tif 000009
【図８】
2017090683.tif 000010
【図９】
2017090683.tif 000011